(57)【要約】【課題】従来の構成ではフレキシブルプリント基板のみで曲げ応力を低減させることができなかった。【解決手段】本発明のフレキシブルプリント基板９は、湾曲部を介して機器同士を接続するフレキシブルプリント基板であって、前記フレキシブルプリント基板と一体に形成され、前記湾曲部の湾曲状態を保持する保持部を備える構成とすることにより、曲げによる応力が小さいフレキシブルプリント基板を提供することができるものである。【選択図】図１
2010061761.tif 000002
【特許請求の範囲】
【請求項１】
湾曲部を介して機器同士を接続するフレキシブルプリント基板であって、
前記フレキシブルプリント基板と一体に形成され、前記湾曲部の湾曲状態を保持する保持部を備える、フレキシブルプリント基板。
【請求項２】
前記フレキシブルプリント基板は、前記湾曲部を挟む位置に第１の面と第２の面とを有しており、
前記保持部は、前記湾曲部における前記第１の面および第２の面に略平行な方向の両端から、前記第１および第２の面に略平行な方向に突出し、前記湾曲部が湾曲する方向に折れ曲がっている、
請求項１に記載のフレキシブルプリント基板。
【請求項３】
前記フレキシブルプリント基板は、前記湾曲部を挟む位置に第１の面と第２の面とを有しており、
前記保持部は、前記湾曲部における前記第１および第２の面に略平行な方向の両端から、前記第１の面および第２の面に略平行な方向に延びた組成変形部を含む、
請求項１に記載のフレキシブルプリント基板。
【請求項４】
前記フレキシブルプリント基板は、前記湾曲部を挟む位置に第１の面および第２の面とを有しており、
前記保持部は、前記湾曲部における前記第１および第２の面に平行な方向の両端に設けられ、前記湾曲部が湾曲する方向に折れ曲がっている、
請求項１に記載のフレキシブルプリント基板。
【請求項５】
前記フレキシブルプリント基板は、前記湾曲部を挟む位置に第１の面と第２の面とを有しており、
前記保持部は、前記湾曲部における前記第１および第２の面に平行な方向の両端に設けられ、前記両端から前記第１および第２の面に平行な方向に延びた組成変形部を含む、
請求項１に記載のフレキシブルプリント基板。
【請求項６】
前記湾曲部は、湾曲する方向に向かって長く形成されたスリットを有する、
請求項１から５のいずれかに記載のフレキシブルプリント基板。
【請求項７】
前記スリットの長手方向の端部を保護する第１の保護部を有する、
請求項６に記載のフレキシブルプリント基板。
【請求項８】
前記保持部において突出方向に延びた辺の、前記フレキシブルプリント基板側の端部を保護する第２の保護部を有する、
請求項１から５のいずれかに記載のフレキシブルプリント基板。
【請求項９】
前記フレキシブルプリント基板は、少なくとも異なる方向に分岐しており、
前記異なる方向に延びた辺同士が交わる部分を保護する第３の保護部を有する、
請求項１から５のいずれかに記載のフレキシブルプリント基板。
【請求項１０】
前記第１から第３の保護部は、銅箔である、
請求項７から９のいずれかに記載のフレキシブルプリント基板。
【請求項１１】
請求項１から１０のいずれかに記載のフレキシブルプリント基板と、
前記フレキシブルプリント基板の一端に、電気的に接続され固定された受光素子と、を備える
光ピックアップ。
【請求項１２】
前記受光素子を保持するホルダをさらに備える、
請求項１１に記載の光ピックアップ、
【請求項１３】
光学系を有する光学ベースと、
前記光学ベースと前記ホルダを接着する接着剤と、を備える、
請求項１２に記載の光ピックアップ。
【請求項１４】
請求項１１から１３のいずれかに記載の光ピックアップを備える、
電子機器。
【発明の詳細な説明】
【技術分野】
【０００１】
本発明は、フレキシブルプリント基板、光ピックアップおよび光ピックアップを備えた電子機器に関する。
【背景技術】
【０００２】
光学式情報記録媒体である光ディスクに対して、オーディオ信号、文字信号および映像信号等の情報を記録する、または、これらの情報を再生する光学式情報記録再生装置（電子機器）には、光ピックアップが搭載されている。
【０００３】
光ピックアップは主に、レーザ光を発する光源と、レーザ光を光ディスクへ導く光学系と、光ディスクにより反射された反射光を受光する受光部と、受光部に接続されたフレキシブルプリント基板（以下、ＦＰＣとも呼ぶ。）とを備えている。
【０００４】
受光部は、反射光を電気信号に変換するフォトディテクタを有しており、この変換された電気信号はＦＰＣを介して取り出される。
【０００５】
図６は、従来の光ピックアップにおける受光部を示す概略斜視図である。図７は、図６の従来の光ピックアップにおける受光部をＸ軸方向から見たときの概略図である。
【０００６】
受光部８は、反射光の受光感度が良好となるよう光軸調整を行った後、接着剤等により光学ベース６に固定される。
【０００７】
ＦＰＣ９は、接続する部材の形状や配置に応じて曲げられるため、その曲げられた部分に応力が発生する。この応力により、ＦＰＣ９は、受光部８を矢印Ａの方向に引っ張ることになり、受光部８の位置をずらすことになる。
【０００８】
特に高温環境下においては、熱により接着剤の接着力が弱くなるので、受光部８の位置はさらにずれやすくなってしまう。
【０００９】
このように、ＦＰＣ９の応力に対して如何に対応するかは、重要な課題であり、従来から種々の提案がなされている。
【００１０】
例えば、特許文献１は、コ字状に折り曲げたブランケットにＦＰＣを収納することにより、応力を打ち消す構成を開示している。
【特許文献１】特開２００５−３３９７０９号公報
【発明の開示】
【発明が解決しようとする課題】
【００１１】
しかしながら、特許文献１のように、コ字状に折り曲げたブランケットを備えている構成では、ブランケット自体の重量が負荷となり、受光部はさらにずれてしまう。
【００１２】
そこで、ブランケット等の他の部材によらず、ＦＰＣのみで応力を低減させる必要があるが、そのような構成は今まで存在しなかった。
【００１３】
また、ＦＰＣの応力による問題は、受光部のずれだけではない。例えば、ＦＰＣの応力により、ＦＰＣと電子機器との接続部分に剥離が生じ、接触不良を起こす可能性もある。
【００１４】
そのため、信頼性の高い光ピックアップ、および光ピックアップを備えた電子機器を提供できないという課題があった。
【００１５】
そこで本発明は、曲げによる応力が小さいＦＰＣを提供することを第１の目的とする。また、本発明は、信頼性の高い光ピックアップを提供することを第２の目的とする。
【課題を解決するための手段】
【００１６】
上記第１の目的を達成するための本発明のフレキシブルプリント基板は、湾曲部を介して機器同士を接続するフレキシブルプリント基板であって、前記フレキシブルプリント基板と一体に形成され、前記湾曲部の湾曲状態を保持する保持部を備える。
【００１７】
また、上記第２の目的を達成するための本発明の光ピックアップは、上述のフレキシブルプリント基板と、前記フレキシブルプリント基板の一端に、電気的に接続され固定された受光素子と、を有する。
【発明の効果】
【００１８】
本発明のフレキシブルプリント基板によれは、曲げによる応力が小さいフレキシブルプリント基板を提供することができる。また、本発明の光ピックアップによれば、信頼性の高い光ピックアップを提供することができる。
【発明を実施するための最良の形態】
【００１９】
以下、本発明の実施形態について図面を用いて説明する。なお、実施の形態において同様の動作を行う構成要素に同じ符号を付し、再度の説明を省略する場合がある。
【００２０】
（実施の形態１）
＜光ピックアップを備えた電子機器の概略構成＞
図１は、実施の形態１に係る光ピックアップを備えた電子機器（以下、電子機器と称する。）の概略構成を示す斜視図である。図２は、実施の形態１に係る電子機器における、光ピックアップとカートリッジとの配置を示す斜視図である。
【００２１】
ここで、この明細書におけるＸ軸方向、Ｙ軸方向、Ｚ軸方向について図１を用いて説明する。本明細書では、光ピックアップ２が駆動する方向をＸ軸方向とし、光ディスクの情報記録面に垂直な方向をＹ軸方向とし、Ｘ軸およびＹ軸に垂直な方向をＺ軸方向とする。なお、この明細書における各軸方向の定義は、便宜上のものとする。
【００２２】
実施の形態１に係る光ディスクドライブ１について説明する。なお、光ディスクドライブ１は、光ピックアップを備える電子機器の一例である。
【００２３】
実施の形態１に係る光ディスクドライブ１は、光ディスク５が挿入されたカートリッジ４と、光ピックアップ２と、光ピックアップ２を駆動させる光ピックアップ駆動機構２４と、光ピックアップ駆動機構２４を保持するトラバースベース３２と、光ディスク５を回転させるスピンドルモータ１８と、スピンドルモータ１８に連結され、スピンドルモータ１８によって軸を中心として回転させられるモータシャフト３３とを備えている。
【００２４】
＜光ディスク＞
光ディスク５は、例えば、ＣＤ、ＣＤ−ＲＯＭ、ＣＤ−Ｒ／ＲＷや、ＤＶＤ−ＲＯＭ、ＤＶＤ±Ｒ／ＲＷ、ＤＶＤ−ＲＡＭなどを含む。また、光ディスク５は、いわゆるＢＤ（Ｂｌｕ−ｒａｙ  Ｄｉｓｃ）やＨＤ  ＤＶＤ（Ｈｉｇｈ  Ｄｅｆｉｎｉｔｉｏｎ  ＤＶＤ）等も含む。
【００２５】
光ディスク５は、情報記録面を有している。情報記録面とは、音楽情報や映像情報等の各種情報が記録されている面、あるいは、各種情報を記録するための面である。
【００２６】
＜カートリッジ＞
光ディスクドライブ１には、カートリッジ４が設置されている。また、カートリッジ４には、光ディスク５が挿入されている。図示されていないが、光ディスク５の中心部にモータシャフト３３の端部が連結されている。これにより、光ディスク５は、モータシャフト３３を介してスピンドルモータ１８により回転される。カートリッジには開口部が形成されおり、この開口部で、光ディスクにおける情報記録面の一部が、外部に露呈される。
【００２７】
＜光ピックアップ駆動機構＞
光ピックアップ２は、ＣＤやＤＶＤなどの光ディスクの半径方向に移動しながら、光ディスクに記録された情報の読み取りや、光ディスクへの情報の書き込みなどを行う装置である。
【００２８】
光ピックアップ２は、光ピックアップ駆動機構２４により光ディスク５の外周側および内周側に移動することができる。光ピックアップ駆動機構２４は、シャフト１７ａ、１７ｂと支持台３と駆動台１９を備えている。
【００２９】
駆動台１９には、２本のシャフト１７ａ、１７ｂが貫通している。シャフト１７ａは、支持台３が備えているモータ（図示せず）により、その軸方向を中心として回転させられる。このシャフト１７ａが回転することで、駆動台１９が光ディスク５の半径方向（図ではＸ軸方向）に移動する。このような機構は、シャフト１７ａと駆動台１９との間に、例えばギア等を備えていることで実現される。
【００３０】
シャフト１７ｂは、駆動台１９の移動方向を規定するためのもので、駆動台１９は、シャフト１７ｂに沿って移動する。駆動台１９上には光ピックアップ２が設置されており、光ピックアップ２は、駆動台１９と一体となって移動する。これにより、光ピックアップ２は光ディスク５の外周側および内周側に移動することができる。
【００３１】
したがって、レーザ光を出射する対物レンズ１４も、光ディスク５の外周側および内周側に移動することができる。
【００３２】
なお、光ピックアップ２を光ディスク５の外周側および内周側に移動させる機構は、上述の機構に限定されるわけではない。
【００３３】
光ディスクドライブ１は、光ディスク５の回転をスピンドルモータ１８で調整し、光ディスク５の外周側および内周側に対する光ピックアップ２の位置を光ピックアップ駆動機構２４で調整する。これらの調整により、対物レンズ１４から出射されるレーザ光３０が、光ディスク５の情報記録面における所望の位置に照射される。
【００３４】
光ディスク５に情報を書き込む場合、レーザ光３０が光ディスク５の情報記録面に照射されることで情報記録面に記録マークが形成され、情報の記録が行われる。また、光ディスク５の情報を読み取る場合は、光ディスク５の情報記録面に反射されたレーザ光３０を検出することにより、光ディスク５が有する情報の読み取りが行われる。
【００３５】
＜光ピックアップの構成＞
図３は、Ｙ軸方向から見たときの光ピックアップ２を示した概略図である。
【００３６】
光ピックアップ２は、対物レンズ１４と、レーザ光３０の焦点を合わせるために対物レンズ１４をトラッキング方向またはフォーカス方向に移動させ得るアクチュエータ１５とを備えている。ここで、トラッキング方向とは、光ディスク５の半径方向であり、フォーカス方向とは、光ディスク５の記録面に垂直な方向である。
【００３７】
対物レンズ１４は、光ディスク５が設置される側に配置されている。外部に露呈されている情報記録面に向けて対物レンズからレーザ光が出射される。光ピックアップの構成のさらに詳しい説明は後述する。
【００３８】
＜光学ベース＞
光学ベース６は、光ピックアップ２を構成する各部品を保持するものである。光ピックアップ２を構成する各部品とは、ＰＢＳ１１やコリメータレンズ１２、対物レンズ１４などの光学系や、光源７、受光部８、ＦＰＣ９などである。
【００３９】
光学ベース６は、箱型をしており、光ピックアップ２を構成する各部品を光学ベース６の内部に収容したり、光学ベース６の外側で各部品を保持したりすることができる。
【００４０】
光学ベース６は、軽量であることが好ましく、また、高精度での形状加工性、放熱性等を備えた材料で形成させることが好ましい。
【００４１】
光学ベース６の材料としては、例えば、亜鉛、亜鉛合金、アルミ、アルミ合金、チタン、チタン合金などが好適に用いられる。光学ベース６は、例えば、タイカスト等で鋳造される。
【００４２】
＜光源＞
光源７は、レーザ素子２０とアオリホルダ２１とスライドホルダ２２を備えている。
【００４３】
レーザ素子２０は、レーザ光を出射する素子であり、例えば、レーザダイオード等の半導体レーザ素子等である。
【００４４】
レーザ素子２０は、光ディスク５の種類に応じた波長のレーザ光を出射する。例えば、光ディスク５がＣＤの場合、レーザ光の波長は約７８０ｎｍであり、ＤＶＤの場合は、レーザ光の波長は約６５０ｎｍであり、ＢＤの場合、レーザ光の波長は約４０５ｎｍである。
【００４５】
レーザ素子２０から射出されるレーザ光は、１つでもよいし、２つ以上の異なる波長のレーザ光であってもよい。また、実施の形態１では、レーザ素子２０の数は１つとしているが、異なる波長を射出するレーザ素子を２つ以上実装しても良い。
【００４６】
アオリホルダ２１は、レーザ素子２０に対してあおり調整をする部材である。
【００４７】
あおり調整とは、レーザ素子２０から射出されるレーザ光を適正な方向に射出させるための調整である。
【００４８】
スライドホルダ２２は、レーザ素子２０から出射されるレーザ光に垂直な方向（図ではＺ軸方向もしくはＹ軸方向）にスライドさせ、レーザ素子２０の位置を調整する部材である。
【００４９】
レーザ素子２０は、アオリホルダ２１およびスライドホルダ２２により調整された後、接着剤等で光学ベース６に固定される。
【００５０】
＜レーザ光の流れ＞
レーザ素子２０から射出されたレーザ光は、偏光ビームスプリッタ１１（以下、ＰＢＳ１１とも呼ぶ。）、コリメータレンズ１２、立ち上げミラー１３を介し、光ディスク５へ照射される。光ディスク５へ照射されたレーザ光は、光ディスク５で反射され、立ち上げミラー１３、コリメータレンズ１２、ビームスプリッタ１１を介し、受光部８に入射する。
【００５１】
＜光学系＞
ＰＢＳは「ＰｏｌａｒｉＸｉｎｇ  Ｂｅａｍ  Ｓｐｌｉｔｔｅｒ」の略称でる。ＰＢＳ１１は、一方の偏光方向の光を透過し、それと直交する偏光方向の光を反射する光学素子である。
【００５２】
ＰＢＳ１１は、レーザ素子２０からＰＢＳ１１に向けて（図ではＸ軸方向）に出射されたレーザ光をコリメータレンズ１２へ向けて（図ではＺ軸方向）に反射させる。また、光ディスク５により反射されたレーザ光は、ＰＢＳを透過し、受光部８へ入射する。
【００５３】
コリメータレンズ１２は、コリメータレンズ１２に入射した光を略平行光にして出射する光学素子である。略平行光とは、光が進行しても光束が広がらず、光束の直径がほぼ変わらない光を意味する。
【００５４】
立ち上げミラー１３は、コリメータレンズ１２により略平行光となったレーザ光を、光ディスク５の情報記録面に垂直な方向（図ではＹ軸方向）に反射させる光学素子である。Ｙ軸方向に反射されたレーザ光は、対物レンズ１４に入射し集光され、光ディスク５に照射される。
【００５５】
対物レンズ１４は、レーザ素子２０から出射されたレーザ光をＣＤやＤＶＤ等の光ディスク５上に集光させる光学素子である。対物レンズ１４には、合成樹脂製のレンズやガラス製のレンズ等が用いられる。
【００５６】
光ディスク５に照射されたレーザ光は、光ディスク５の情報記録面で反射され、立ち上げミラー１３、コリメータレンズ１２、ビームスプリッタ１１を介し、受光部８に入射する。
【００５７】
＜受光部＞
受光部８は、受光したレーザ光を電気信号に変えるフォトディテクダ（Ｐｈｏｔｐ  Ｄｅｔｅｃｔｏｒ）２３（以下、ＦＤ２３とも呼ぶ。）と、ＦＤ２３を保持するディテクタホルダ２５（以下、ＤＥＴホルダとも呼ぶ。）を備えている。
【００５８】
ＦＤ２３は、光を電気信号に変換する光電変換部（図示せず）と変換された電気信号を伝達する導体部（図示せず）を有している。この導体部がＦＰＣ９と電気的に接続され、固定されている。
【００５９】
実施の形態１では、受光部８は、レーザ光を受光する受光面の反対側の面でＦＰＣ９と電気的に接続され、固定されている。別の表現を用いれば、受光部８は、光学ベース６と対向する面の反対側の面でＦＰＣ９と電気的に接続され、固定されている。
【００６０】
ＤＥＴホルダ２５は、レーザ光を通す貫通孔３１を有しており、この貫通孔３１に対応した位置にＦＤ２３が位置するよう配置される。また、光学ベース６もレーザ光を通す貫通孔３１を有しており、レーザ光は、これらの貫通孔を通りＦＤ２３に入射する。
【００６１】
受光部８は、レーザ光の受光感度が良好となるよう位置合わせされる。受光部８の位置合わせには冶具（図示せず）が用いられる。位置合わせ用の冶具は受光部８を保持しながら、レーザ光の受光感度が最も良くなるよう、Ｘ軸、Ｙ軸、Ｚ軸方向に動かされる。
【００６２】
受光部８を光学ベース６に取り付ける際、上述したような位置合わせが必要となるので、受光部８は、光学ベース６の外側の面に取り付ける方が好ましい。ただし、光学ベース６の内側に位置合わせ可能な空間があれば、受光部８は、光学ベース６の内側に配置されてもよい。
【００６３】
受光部８の位置合わせ後、受光部８と光学ベース６との間に接着剤が塗布される。具体的には、ＤＥＴホルダ２５と光学ベース６との間に紫外線硬化型接着剤１６が塗布される。このとき、紫外線硬化型接着剤１６は、レーザ光の光路を塞がないように塗布される。
【００６４】
紫外線硬化型接着剤１６とは、紫外線が照射されることにより、硬化反応が促進する接着剤のことである。紫外線硬化型接着剤１６に紫外線が照射され、紫外線硬化型接着剤１６が硬化することで、ＤＥＴホルダ２５は光学ベース６に固定される。
【００６５】
実施の形態１では、ＤＥＴホルダ２５の受光面側の面（Ｚ軸に略垂直な面）と光学ベース６とが接着剤により固定されているが、これに限られるものではない。例えば、光学ベース６の一部を突出させ、その突出部とＤＥＴホルダ２５の側面部（Ｚ軸に平行な面）とが接着剤により固定されてもよい。要するに、受光部８は、光学ベース６に対して位置調整が可能であればよい。
【００６６】
なお、実施の形態１では、ＤＥＴホルダ２５と光学ベース６とを接着させているが、ＤＥＴホルダ２５を用いずにＦＤ２３を光学ベース６に接着させる構成でもよい。例えば、ＦＤ２３の受光面以外の部分と光学ベース６との間に紫外線硬化型接着剤１６を塗布することでこの構成を実現することができる。
【００６７】
＜フレキシブルプリント基板＞
図４は、本発明の実施の形態１に係る光ピックアップの受光部８及びＦＰＣ９の構成を示す部分斜視図である。
【００６８】
ＦＰＣ９は、フレキシブルプリント基板（ＦｌｅＺｉｂｌｅ  Ｐｒｉｎｔｅｄ  Ｃｉｒｃｕｉｔ）の略称である。ＦＰＣ９は、フィルム状の絶縁体の上に、銅箔等の金属箔の配線を有する基板である。
【００６９】
ＦＰＣ９は可撓性を有しており、用途に応じて適宜曲げられる。ＦＰＣ９の曲げ方には、例えば接続する機器間の配置に応じて曲げる場合や、ＦＰＣ９自体の占有スペースを小さくするために、ＦＰＣ９の一部を重ねるように曲げる場合などがある。
【００７０】
実施の形態１では、ＦＰＣ９は、接続する機器間の配置に応じて曲げられている。つまり、実施の形態１では、ＦＰＣ９は、一方の端部で受光部８と接続され、他方の端部で光学ベース６内に配置された他の機器に接続される。
【００７１】
前述したとおり、受光部８を光学ベース６に取り付ける際には、受光部８の位置合わせを行う必要がある。そのため、受光部８は、容易に位置合わせされるよう、光学ベース６の外側の面に取り付けられる。そして、受光部８は、レーザ光を受光する受光面の反対側の面でＦＰＣ９と電気的に接続され、固定される。一方、ＦＰＣ９の他方の端部に接続される機器は、通常、光学ベース６の内部に配置されている。そのため、実施の形態１におけるＦＰＣ９は、図４に示すように、湾曲部２６を有するように曲げられることになる。
【００７２】
ＦＰＣ９は、第１の面３５と、湾曲部２６と、第２の面３６と、保持部２７とを有している。
【００７３】
本明細書において、第１の面３５とは、湾曲部２６からＦＰＣ９の一方の端部に向かって延びた面上の領域を意味するものである。また、第２の面３６とは、ＦＰＣ９の他方の端部に向かって延びた平面状の領域を意味するものである。第１の面と第２の面は、湾曲部２６を挟む位置関係となっている。
【００７４】
実施の形態１では、第１の面は、受光部８の受光面に平行な面（Ｘ−Ｙ面に平行な面）である。また、第２の面は、光ディスク５の情報記録面に平行な面（Ｘ−Ｚ面に平行な面）である。
【００７５】
ＦＰＣ９は、第１の面３５で受光部８と電気的に接続され、固定されている。詳しく説明すると、接続面３５に設けられた配線の端部と、ＦＤ２３の導体部とが、半田により電気的に接続され、固定されている。ＦＰＣ９は、受光部８や光学ベース６等の形状に沿うように曲げられており、ＦＰＣ９の他方の端部は、光学ベース６側で他の機器に接続されている。
【００７６】
湾曲部２６は、ＦＰＣ９が受光部８や光学ベース６等の形状に沿うように曲げられている部分である。ＦＰＣ９が図４のように曲げられることにより、湾曲部２６には応力が発生する。湾曲部２６に発生する応力により、ＦＰＣ９は、曲げられる前の元の形状に戻ろうとする。ＦＰＣ９は、一端で受光部８に固定されているので、この応力は、受光部８にも伝達される。
【００７７】
実施の形態１では、ＦＰＣ９が湾曲状態を保持する保持部２７を有することにより、ＦＰＣ９の応力を低減させている。保持部２７については後述する。
【００７８】
＜スリット＞
湾曲部２６には、スリット２８が形成されているほうが好ましい。湾曲部２６がスリット２８を有することにより、ＦＰＣ９の折り曲げ応力を低減することができるので、ＦＰＣ９の応力を低減することができる。
【００７９】
スリット２８は、ＦＰＣ９の長手方向に長く延びた縦長形状となっている。別の表現を用いると、スリット２８は、湾曲部２６が湾曲する方向に向かって長く形成されている。
【００８０】
スリット２８部分には、曲げによる応力を発生させるフィルム状の絶縁体や銅箔等の配線は存在しない。したがって、湾曲部２６にスリット２８を設けることで、ＦＰＣ９を受光部８や光学ベース６等の形状に沿うように曲げることが容易となる。
【００８１】
スリット２８の短手方向の幅やスリット２８の数は、ＦＰＣの大きさや、配線間の幅などに応じて適宜設定される。このスリット２８の形成方法としては、ＦＰＣにおけるスリット形成範囲外にマスクをかけ、溶媒等を用いてスリット形成範囲を除去する方法や、レーザビーム等を用いてスリット形成範囲を除去する方法を用いることができる。実施の形態において、スリット２８の形状は、ＦＰＣ２９の長手方向に向かって長く形成されているが、このような形状に限られるものではない。要するに、スリット２８の形状は、ＦＰＣの反力を低減できる形状であればよい。
【００８２】
＜保持部＞
ＦＰＣ９は、湾曲状態を保持する保持部２７を有している。この保持部２７は、湾曲部２６における第１の面３５および第２の面３６に略平行な方向の両端から、前記第１および第２の面に略平行な方向に突出している。図４を用いて説明すると、保持部２６は、ＦＰＣ９の幅方向に突出している。「ＦＰＣ９の幅」とは、ＦＰＣ９のＸ軸方向の長さを意味している。つまり、保持部２７は、湾曲部２６の両端からＸ軸方向に突出している。
【００８３】
実施の形態１では、保持部２７は、ＦＰＣ９と一体に形成されている。つまり、フィルム状の絶縁体がＦＰＣ９の幅方向（Ｘ軸方向）に突出している。実施の形態１では、保持部２７の形状は方形としている。
【００８４】
実施の形態１において、保持部２７は、湾曲部２６が湾曲する方向に折れ曲がっている。具体的に説明すると、保持部２７は、折り曲げ線２９を軸として略直角に折り曲げられている。なお、本明細書における「折り曲げ」とは、折り目をつけるように折って曲げられた状態を意味する。
【００８５】
保持部２７が折り曲げられることにより、折り曲げ線２９の領域は組成変形する。折り曲げ線２９の領域が組成変形することにより、保持部２７は、折り曲げられた状態が定常状態となる。つまり、保持部２７に外部から力を加えると、保持部２７は、折り曲げられた状態を維持するように応力が発生する。したがって、保持部２７は、ＦＰＣ９の湾曲状態を保持することができる。湾曲部２６には、曲げられる前の形状に戻るように応力が発生する。保持部２７は、湾曲部２６と一体に形成されているので、湾曲部２６に発生した応力は、保持部２７にも伝わる。湾曲部２６の応力により、保持部２７は、折り曲げられる前の形状に戻ろうとする。しかし、保持部２７は折り曲げられた状態が定常状態なので、保持部２７には、折り曲げられた状態を維持するように応力が発生する。この保持部２７の応力により、湾曲部２６の応力の一部または全部が打ち消される。したがって、湾曲部２６の応力は低減される。
【００８６】
保持部２７には、情報信号の伝送に必要な配線を有していない。配線を有していない保持部２７のみが略直角に折り曲げられており、湾曲部２６は所定の曲率で曲げられている。そのため、配線が断線することがないので、光ピックアップ２は、安定した動作性能を得ることができる。
【００８７】
なお、実施の形態１では、保持部２７の折り曲げ角度を略直角としたが、これに限られるものではない。組成変形するように折り曲げれば、ＦＰＣの応力を低減することができるので、保持部２６の折り曲げ角度は鋭角であっても鈍角であってもよい。
【００８８】
保持部２７の形成方法としては、フィルム状の絶縁体に配線をパターンニングする前に、あらかじめ形成しておいてもよいし、配線の配設が終わった後で形成してもよい。
【００８９】
実施の形態１では、保持部２７の形状は方形の形状としたが、これに限られるものではない。保持部２７の形状としては、例えば、半円形状でもよいし、三角形の形状などでもよい。
【００９０】
また、実施の形態１では、保持部２７が湾曲部２６から突出する構成としたが、保持部２７は湾曲部２６から突出しない構成であってもよい。湾曲部２６における第１および第２の面に平行な方向（Ｚ軸方向）の両端に、その両端から第１および第２の面に平行な方向（Ｚ軸方向）に延びた組成変形部を有していれば、実施の形態１と同様の効果を得ることができる。
【００９１】
保持部２７の寸法は、ＦＰＣ９に接続される部材の大きさや配置や、あるいは、ＦＰＣ９の周辺に配置される部材の大きさや配置等に応じて適宜設定される。
【００９２】
スリット２８は、保持部２７の根元部分に形成されてもよい。このような構成により、保持部２７を直角に折り曲げても、湾曲部２６は直角に折り曲がりにくくなり、緩やかに湾曲する。
【００９３】
上述したように、湾曲部２６が保持部２７を有することで、ＦＰＣ９の湾曲状態が保持されるので、ＦＰＣ９の湾曲部２６における応力が緩和される。したがって、ＦＰＣ９が受光部８を引っ張る力が緩和され、従来よりも受光部の光軸ズレを防ぐことができる。
【００９４】
また、特許文献１のようにＦＰＣ９を収容するためにブランケットを設けたり、ＦＤ２３あるいはＤＥＴホルダ２５と、ＦＰＣを固定する固定用の基板とでＦＰＣ９を挟んで固定する等の構成を採用する必要がないので、簡易な構成でＦＰＣ９の応力を低減することができる。そのため、光ピックアップ２の部品点数を増やすことなく、光軸ズレを防ぐことができる。
【００９５】
なお、実施の形態１では、ＦＰＣ９と受光部８の関係について述べたが、これに限られるものではない。例えば、ＦＰＣ９と他の機器との接続においても、実施の形態１のように、ＦＰＣ９に湾曲状態を保持する保持部を形成することで、接続面の剥離等を防ぐことができる。
【００９６】
上述した光ピックアップ２は、例えば、ノート型パソコンやデスクトップ型パソコンなどのパソコンや、ＣＤプレーヤやＤＶＤプレーヤなどの音響機器を含む電子機器などに搭載可能なものである。したがって、信頼性の高い電子機器を提供することができる。
【００９７】
（実施の形態２）
本発明の実施の形態２について図５を用いて説明する。図５は本発明の実施の形態２に係る光ピックアップのＦＰＣを示す概略図である。実施の形態２において、実施の形態１と同様の構成については説明を省略する。
【００９８】
実施の形態２において、ＦＰＣ９は、スリット２８の端部を保護する保護部３４ａ〜３４ｃと、保持部２７の根元を保護する保護部３４ｄと、ＦＰＣ９が分岐する部分を保護する保護部３４ｅを有している。これらの保護部は、銅箔で構成されている。
【００９９】
ＦＰＣ９にスリット２８を設けることにより、ＦＰＣ９が湾曲する際に生じる応力を低減することできる。しかし、スリット２８を形成した部分は強度が弱くなるため、スリット２８の端部から亀裂が発生する恐れがある。そこで、実施の形態２では、スリット２８の長手方向の端部に保護部３４ａ〜３４ｃが設けられている。
【０１００】
同様に保持部２７とＦＰＣ９とが分岐した箇所に保護部３４ｄを設けることで保持部２７の根元における亀裂を防止しることができるので、光ピックアップは安定した動作保証を得ることができる。
【０１０１】
保護部３４ａ〜３４ｅには、ＦＰＣ９の配線と同じ材料である銅箔を使用することができる。そのため、ＦＰＣの配線をパターンニングする際に保護部も併せて形成することができるので、容易に実施の形態２に係るＦＰＣを作製することができる。
【０１０２】
実施の形態２では、スリット２８の端部それぞれに保護部３４ａ〜３４ｃを形成しているが、例えば、保護部３４ａ〜３４ｃを一体に形成してもよい。
【０１０３】
また、実施の形態２では、保護部３４ａ〜３４ｅの形状は略円形としているが、保護部３４ａ〜３４ｅの形状はこれに限られるものではない。例えば、三角形や四角形などの多角形でもよいし、楕円形などでもよい。また、保護部３４ａ〜３４ｅの大きさは、保護するスリット２８の大きさやＦＰＣ９に形成される配線の幅やパターンに応じて適宜設定される。
【０１０４】
保護部３４ａ〜３４ｅは、湾曲部２６における折り曲げ線２９の延長線上以外の位置に形成されることが好ましい。保護部３４ａ〜３４ｅが、折り曲げ線２９の延長線上に形成されると、ＦＰＣ９を曲げる際に、ＦＰＣ９に発生する応力に、保護部で発生する応力が加わることになる。そのため、受光部８の位置ズレが発生しやすくなる。したがって、保護部３４ａ〜３４ｅは、折り曲げ線２９の延長線上以外の位置に形成されることが好ましい。
【０１０５】
なお、実施の形態１〜２で具体的に示した構造はあくまでも一例であり、本発明はこれらの具体例のみに限定されるものではない。
【図面の簡単な説明】
【０１０６】
【図１】実施の形態１に係る光ピックアップを備えた光ディスクドライブの概略構成を示す斜視図
【図２】実施の形態１に係る光ディスクドライブにおける、光ピックアップとカートリッジとの配置を示す斜視図
【図３】Ｙ軸方向から見たときの光ピックアップ２を示した概略図
【図４】本発明の実施の形態１に係る光ピックアップの受光部８及びＦＰＣ９の構成を示す部分斜視図
【図５】本発明の実施の形態２に係る光ピックアップのＦＰＣを示す概略図
【図６】従来の光ピックアップにおける受光部を示す概略斜視図
【図７】従来の光ピックアップにおける受光部をＸ軸方向から見たときの概略図
【符号の説明】
【０１０７】
１  光ディスクドライブ
２  光ピックアップ
３  支持台
４  カートリッジ
５  光ディスク
６  光学ベース
７  光源
８  受光部
９  フレキシブルプリント基板
１０  半田
１１  ビームスプリッタ
１２  コリメータレンズ
１３  立ち上げミラー
１４  対物レンズ
１５  アクチュエータ
１６  紫外線硬化型接着剤
１７ａ〜１７ｂ  シャフト
１８  スピンドルモータ
１９  駆動台
２０  レーザ素子
２１  アオリホルダ
２２  スライドホルダ
２３  フォトディテクタ
２４  光ピックアップ駆動機構
２５  ＤＥＴホルダ
２６  湾曲部
２７  保持部
２８  スリット
２９  折り曲げ線
３０  レーザ光
３１  貫通孔
３２  トラバースベース
３３  モータシャフト
３４ａ〜３４ｅ  銅箔
３５  第１の面
３６  第２の面
【図２】
2010061761.tif 000003
【図３】
2010061761.tif 000004
【図４】
2010061761.tif 000005
【図５】
2010061761.tif 000006
【図６】
2010061761.tif 000007
【図１】
2010061761.tif 000008
【図７】
2010061761.tif 000009